(57)【要約】【課題】トンネルの内壁に取り付けられるような照明器具において、雰囲気温度によらず、光源ランプの照度を維持し、照明効率を向上させる。【解決手段】器具本体２内に収納した放電ランプ４の最冷部４ｃの近傍にパネルヒータ５を設ける。パネルヒータ５は放電ランプ４が調光点灯のときのみ動作させる。また、器具２の内部や外部に温度センサを設けて、ランプが調光点灯であり温度が低温のときのみパネルヒータを動作させるようにした。【選択図】  図１
2004259669.tif 000002
【特許請求の範囲】
【請求項１】
開口端を有するシャーシ、このシャーシに装着される投光開口を有する蓋体およびこの蓋体の投光開口に配設される透光性カバーを備えた器具本体と；
器具本体内に配設され、最冷部を備えた放電ランプと；
器具本体内に配設され、放電ランプを調光点灯可能な点灯装置と；
この器具本体内の光源ランプに最冷部近傍に配設され、点灯装置が調光時に入力されるヒータと；を具備したことを特徴とするトンネル用照明器具。
【請求項２】
温度スイッチを備え、器具内部が所定温度より低下し、かつ放電ランプを調光点灯しているときに動作するヒータを具備していることを特徴とする請求項１のトンネル用照明器具。
【発明の詳細な説明】
【０００１】
【発明の属する技術分野】本発明は、トンネルに使用される照明器具およびトンネル照明器具に関する。
【０００２】
【従来の技術】従来、トンネル用照明器具においては、光源としては、例えば低圧ナトリウムランプや蛍光ランプなどがよく知られており、その長手方向が道路の通行方向に沿うように配置されている。そして、比較的少数の照明器具によって、主として路面を効率よくかつ、その通行方向に沿ってなるべく連続する一様な明るさで照明できるように設計されている。そうして、近年では長手方向により効率よく照明するために光源に比較的長い蛍光ランプを用いる照明器具が用いられる。
【０００３】
しかしながら、蛍光ランプは周囲温度によって効率が異なることが知られている。例えば、周囲温度が２０〜２５℃において最高光束が出るが、周囲温度が高いときや低い時ではランプ光束が非常に低下する。特に、トンネル照明器具のように屋外で用いられる器具においては、周囲温度の影響を受けやすく、ランプ効率が変化しやすいという問題があった。
【０００４】
特に、トンネル照明器具は、内部が気密に密閉されているため、内部に収納しているランプや安定器からの発熱によって内部が高温となりやすく、ランプの温度も上昇してランプの効率が低下することがあった。このため、あらかじめ周囲温度が４０〜５０℃のときに効率がもっとも高くなるように調整した蛍光ランプを使用したり（特開平１０−３０８１０９号公報）、ランプに入力する電力を調整してランプの温度が上昇し過ぎないように調整し、気密に密閉した状態でランプの定格の光束が出力されるような電力（ＲＢ比）をランプに供給する専用安定器を設置するなどのことが考えられている。
【０００５】
また、トンネル照明は室外で用いられさらに環境の厳しい場所に設置するため寒冷地のように周囲温度の低い場所に設置され、ランプの効率が低下することもある。このため、実公昭６３−３３３２１号公報には、蛍光ランプの温度が維持できるように温度維持手段を備えた蛍光灯器具として、図６のように周囲温度が低いときには反射板の裏側に設けられたヒータによって蛍光灯を加熱する蛍光灯器具（従来例）が開示されている。
【０００６】
【特許文献１】特開平１０−３０８１０９号公報
【０００７】
【特許文献２】実公昭６３−３３３２１号公報  図６
【０００８】
【発明が解決しようとする課題】しかしながら、従来例のような蛍光灯器具では、器具が開放されているので、ヒータによってランプを過熱しても加熱しすぎることは少なく、又制御しやすいものであるが、トンネル照明器具のように、密閉型の器具であると、ランプが点灯するとすぐに器具内部の温度が上昇しやすい。このため、低温時に点灯する場合にヒータを通電させたものであってもすぐに内部の温度が上昇して、逆に高温となりランプ光束が低減してしまう問題があった。
【０００９】
そこで、本発明は、周囲温度によらずに照明効率を維持することのできる照明装置およびトンネル照明装置を提供することを目的とする。
【００１０】
【課題を解決するための手段】請求項１の発明の照明器具は、開口端を有するシャーシ、このシャーシに装着される投光開口を有する蓋体およびこの蓋体の投光開口に配設される透光性カバーを備えた器具本体と；器具本体内に配設され、最冷部を備えた放電ランプと；器具本体内に配設され、放電ランプを調光点灯可能な点灯装置と；この器具本体内の光源ランプに最冷部近傍に配設され、点灯装置が調光時に入力されるヒータとを具備したことを特徴とする。
【００１１】
本発明および以下の各発明において、特に指定しない限り、用語の定義および技術的な意味は次による。
【００１２】
放電ランプが蛍光ランプの場合、その最冷部は屈曲形蛍光ランプの場合は、発光管の屈曲した部分に形成され、直管形蛍光ランプの場合は、発光管部分の中央部分に形成されやすい。また、無電極放電ランプたとえば、環形無電極放電ランプである場合は発光管端部に形成されるチップ部に形成される。そうして、ヒータは放電ランプの最冷部近傍を加熱可能に配置されればよく、反射板や器具本体などと一体に形成することも許容する。
【００１３】
本発明によれば、周囲が低温であり、ランプが調光点灯を行っていて器具内部の温度が上昇しないときには、最冷部近傍に配置したヒータを動作させているため、ランプの効率が低下させることなく点灯することができる。
【００１４】
請求項２の発明は、請求項１の照明器具であって、器具本体内に温度スイッチを設け、器具内部が所定温度より低下し、かつ放電ランプを調光点灯しているときに動作するヒータを具備している。
【００１５】
温度スイッチは、例えばバイメタルなどの熱応動素子のようなもの、または温度センサとスイッチを組合わせたものを許容する。
【００１６】
本発明によれば、温度スイッチによって雰囲気温度が検出できるため、放電ランプの点灯やヒータの過熱によって器具内部の温度が上昇し過ぎたときには、ヒータを止める、点灯中であっても雰囲気温度が低下したときにはヒータ動作させるなどすることができ、放電ランプの最冷部温度を最適に保つことができるため、さらに光効率が向上し、器具効率も向上させることができる。
【００１７】
【発明の実施の形態】本発明のトンネル用照明器具の実施形態を図を参照して説明する。なお、これらの図中、同一または相当部分には同一符号を付して、重複した説明の記載は省略または簡略化している。
【００１８】
図１は本発明の実施形態に係る例えばトンネル用の照明器具１の正面図、図２は同じく照明器具の断面図、図３は、器具本体２内部の配線図である。この図１および図２に示すように照明器具１は、例えばステンレス製等の密閉形の器具本体２内に、その投光開口に対向するように反射体３を配設し、この反射体３に光学的に対向するように屈曲形蛍光ランプ４を配設している。
【００１９】
上記器具本体２は、例えばＪＩＳ  Ｃ８１４０で規定する防噴流用器具本体等の密閉形に構成されており、如何なる方向からの水の直接噴流を受けても有害な影響が出ないように構成されており、複数の取付脚２ａ，２ａ，…を備えたシャーシ２ｂの投光開口端に、パッキン２ｃを介してほぼ長方形の投光開口を有する蓋体２ｄを装着し、この蓋体２ｄの投光開口に透光性カバー２ｅを水密かつ気密に嵌合させ、シリコン系等の接着剤２ｆにより固着している。
【００２０】
蓋体２ｃは、ヒンジ２ｇによりシャーシ２ｂに開閉可能に取り付けられ、ヒンジ２ｆの反対側にシャーシ２ｂに設けられたラッチ２ｈによって閉塞された状態が保持される。このとき、蓋体２ｃによる閉塞縁はパッキンにより水気や粉塵が浸入しないような処理が施されている。また、透光性カバー２ｅには、透明なガラス板が使用されている。
シャーシ２ｂの各取付脚２ａには、ネジ穴２ｅ１が形成されており、このネジ穴２ｅ１を利用してトンネル内壁６などに設けられたステー等の取り付け装置６ａにネジ止めによって固定される。
【００２１】
そして、このように構成された器具本体２内部には、主反射体３を配設している。主反射体３は長手方向横断面が凹弧面をなす内面を細長い反射面に形成している。なお、主反射面の長手方向横断面の形状は、凹状であればよく、曲面状、平面の組合せまたは曲面と平面の組合せ等どのような形状であってもよい。但し、長手方向に亘ってその主たる部分が同じ断面形状になっていることが好ましい。また、反射面は鏡面または梨地などに仕上げられており設置場所などに応じて所望の配光が得られるような形状をなしている。
【００２２】
さらに、主反射体３の内側には、屈曲形蛍光ランプ４を配設している。屈曲形蛍光ランプ４は、その軸方向一端側に設けられた片口金４ａをランプソケットに嵌め込むことで固定されている。
【００２３】
屈曲形蛍光ランプ４は、ガラス製等の放電容器、蛍光体層、一対の電極、片口金４ａ等により構成されている。放電容器は、ソーダライムガラス、鉛ガラス等の軟質ガラスや硬質ガラス、石英ガラス等の例えば１本のガラス製円管を一平面上でＵ字状に折曲して１本のＵ字状放電路を形成しており、一対の管状部４ｂ，４ｂおよび連結部４ｃを有し、１つの連続放電路の両端をフレアステムによって封止して軸方向一端部に片口金４ａを形成している。したがって、これら管状部４ｂ，４ｂと連結部４ｃは一平面上に形成されている。このように形成された屈曲形蛍光ランプ４においては、その最冷部は屈曲された連結部４ｃの下面に形成されやすい。
【００２４】
そうしてヒータ５が主反射体３の裏面のランプの最冷部近傍に配置される。このヒータ５はパネルヒータなどを用いている。また、この他に、反射体３の内部を加熱可能に、反射体全体を覆うように設けても構わない。
【００２５】
また、器具本体２内部の主反射体３の配設されていない場所には、安定器６および端子台７が配置される。安定器６は、蛍光ランプ４の始動・点灯維持を行い、外部の電源盤１０に配設されているタイマＴＭによって夜間および深夜に電源１０ｂ供給することにより、調光点灯を行う動作をする。端子台７は、電源盤１０からの２００Ｖ電源１０ａの供給および調光信号１０ｂの入出力がされる。安定器６の電源端子６ａ、６ｂ電源電圧２００Ｖが供給され、ランプ４を点灯する。調光信号１０ｂが供給されると調光リレーＲによって、安定器の調光端子６ｃ、６ｄが短絡され安定器６は調光動作を行う。また、端子台７を介して調光信号１０ｂは隣の器具に送信される。その送信端子にはパネルヒータ５が接続されている。この様に接続しているため、電源盤１０から調光信号１０ｂが入力されたときにパネルヒータ５に電源が入り蛍光ランプ４の最冷部を加熱することができる。
【００２６】
このように動作させることによって、ランプ４が調光点灯を行っているときにパネルヒータ５を動作させることができるため、周囲温度が低温であっても、ランプ最冷部温度を適度に保つことができる。また、ランプ４が調光点灯を行っているときにパネルヒータ４の電源を入れるため、ランプ点灯による温度の上昇によって加熱しすぎることがなく、ランプ４の効率を低下させることを抑制する。
【００２７】
さらに、器具本体２の内部や外部に温度センサを設けることもできる。例えば器具内部に温度センサを設ける場合は、パネルヒータ５と調光信号端子の間に温度センサを接続して温度が所定温度以下の場合で、調光信号を受けたときにパネルヒータ５が動作するようにし、所定温度以上に器具内の温度が上昇したときにはパネルヒータ５の動作を停止する。
【００２８】
また、器具本体の外部に温度センサを取り付けてもよい。器具外部に取り付ける場合は、温度センサは、周辺の複数の器具で１つでも構わない。この場合は、温度センサの信号を器具内部に伝送しその信号によってパネルヒータの動作を制御するようにしなければならない。
【００２９】
このような構成によれば、温度センサによってパネルヒータの動作を制御することが加わるためランプの最冷部温度が安定し、さらに効率の向上できるトンネル照明器具を提供することができる。
【発明の効果】請求項１の発明によれば、周囲が低温であり、ランプが調光点灯を行っていて器具内部の温度が上昇しないときには、最冷部近傍に配置したヒータを動作させているため、ランプの効率が低下させることなく点灯することができる。
【００３０】
請求項２の発明によれば、温度スイッチによって雰囲気温度が検出できるため、放電ランプの点灯やヒータの過熱によって器具内部の温度が上昇し過ぎたときには、ヒータを止める、点灯中であっても雰囲気温度が低下したときにはヒータ動作させるなどすることができ、放電ランプの最冷部温度を最適に保つことができ、さらに光効率が向上し、器具効率も向上させることができる。
【図面の簡単な説明】
【図１】本発明の第１の実施形態照明器具の正面図。
【図２】同じく断面図。
【図３】同じく照明器具内部の回路配線を示す図。
【符号の説明】
１…トンネル照明装置、  ２…器具本体  ３…主反射体  ４…光源ランプ（屈曲形蛍光ランプ）  ５…パネルヒータ  ６・・・安定器
【図１】
2004259669.tif 000003
【図２】
2004259669.tif 000004
【図３】
2004259669.tif 000005